(57)【要約】【解決手段】環境制御装置（１００）は、現実の人物（１６５）又は仮想的な人物（１８５）である、環境中の人物のアイデンティティ（１７０，１７５，１８０）の複数から、マスター（１５５）を検出及び選択するように構成された、検出装置（１２０）を具備している。プロセッサ（１１０）は、環境に関するマスター（１５５）の好みに従って、環境のパラメータを制御するように構成されている。パラメータは、温度、個人的又はビジネスの遠隔通信、照明、オーディオ及びビデオ源、機密保持、及び／又は、自然光状態を含む。プロセッサ（１１０）は、さらに、スケジュールに従って、パラメータを制御するように構成され、スケジュールには、時刻、日付、及び、非常事態、社会的又はビジネスの集会など、環境中で発生する特別なイベントが含まれる。また、プロセッサ（１１０）は、マスターが２つのアイデンティティを有する場合に、一方のマスターのアイデンティティを除去するなど、マスター（１５５）の変化を実現するように構成されている。【選択図】図１
2009521042.tif 000002
【特許請求の範囲】
【請求項１】
環境制御装置（１００）であって、
環境中の人物の複数のアイデンティティ（１７０，１７５，１８０）から、マスター（１５５）を検出及び選択するように構成された検出装置（１２０）と、
前記環境に関する前記マスター（１５５）の好みに従って、前記環境のパラメータを制御するように構成されたプロセッサ（１１０）と、
を備えていることを特徴とする環境制御装置。
【請求項２】
前記パラメータは、前記環境の温度，遠隔通信，照明，オーディオ，ビデオ，セキュリティー，自然光状態，及び仮想的な管理人のうちの少なくとも１つを含んでいることを特徴とする請求項１に記載の環境制御装置。
【請求項３】
前記遠隔通信は、個人的な通信，ビジネス遠隔通信，ファクシミリ遠隔通信，電子メール通信，電話通信，無線通信，及び有線通信のうちの少なくとも１つを含んでいることを特徴とする請求項２に記載の環境制御装置。
【請求項４】
前記プロセッサ（１１０）は、さらに、スケジュールに従って、前記パラメータを制御するように構成されていることを特徴とする請求項１に記載の環境制御装置。
【請求項５】
前記スケジュールは、時刻，日付，及び前記環境中で発生する少なくとも１つのイベントの検出のうちの少なくとも１つを含んでいることを特徴とする請求項４に記載の環境制御装置。
【請求項６】
前記イベントは、非常事態，社会的集会，及びビジネス集会のうちの少なくとも１つであることを特徴とする請求項５に記載の環境制御装置。
【請求項７】
前記マスターは、前記複数のアイデンティティの少なくとも２つのアイデンティティを含み、前記プロセッサは、さらに、前記少なくとも２つのアイデンティティのうち一方を除去するように構成されていることを特徴とする請求項１に記載の環境制御装置。
【請求項８】
前記マスター（１５５）は、現実のユーザ（１６５）と仮想的なユーザ（１８５）の少なくとも１つを含んでいることを特徴とする請求項１に記載の環境制御装置。
【請求項９】
環境を制御する方法であって、
環境中の人物の複数のアイデンティティからマスター（１５５）を検出及び選択する段階と、
前記環境に関する前記マスター（１５５）の好みに従って、前記環境のパラメータを制御する段階と、
を備えていることを特徴とする方法。
【請求項１０】
前記パラメータは、前記環境の温度，遠隔通信，照明，オーディオ，ビデオ，セキュリティー，自然光状態，及び仮想的な管理人のうちの少なくとも１つを含んでいることを特徴とする請求項９に記載の方法。
【請求項１１】
前記遠隔通信は、個人的な通信，ビジネス遠隔通信，ファクシミリ遠隔通信，電子メール通信，電話通信，無線通信，及び有線通信のうちの少なくとも１つを含んでいることを特徴とする請求項１０に記載の方法。
【請求項１２】
前記制御する段階は、スケジュールに従って、前記パラメータを制御することを特徴とする請求項９に記載の方法。
【請求項１３】
前記スケジュールは、時刻，日付，及び前記環境中で発生する少なくとも１つのイベントの検出のうちの少なくとも１つを含んでいることを特徴とする請求項１２に記載の方法。
【請求項１４】
前記イベントは、非常事態，社会的集会，及びビジネス集会のうちの少なくとも１つであることを特徴とする請求項１３に記載の方法。
【請求項１５】
前記マスターは、前記複数のアイデンティティの少なくとも２つのアイデンティティを含み、前記方法は、さらに、前記少なくとも２つのアイデンティティのうち一方を除去する段階を備えていることを特徴とする請求項９に記載の方法。
【請求項１６】
前記マスター（１５５）は、現実のユーザ（１６５）と仮想的なユーザ（１８５）の少なくとも１つを含んでいることを特徴とする請求項９に記載の方法。
【発明の詳細な説明】
【技術分野】
【０００１】
本発明は、複数のアイデンティティを有する人物の仮定されたアイデンティティの検出に応じて環境を制御することに関する。
【背景技術】
【０００２】
環境のパラメータの調整は、人々にとって常に興味深いことである。従前、環境の調整は、通常、環境中の複数のシステムを人が個別に物理的に調整する形態であり、例えば、照明を望むように調光し、環境の温度を変更し、遠隔通信機器を切り離し又は再接続するなどによっていた。このような環境の調整方法は時間を要し、人々が、毎回、彼らが望んだ仕様に環境を正確に調整することには、めったにならなかった。さらに、環境の調整は、午前中、就業日中、帰宅時に、１日に何度も生じ得るものであり、社会的な集会に適した状態への調整も有り得る。
【０００３】
環境の調整に関して、いくつかの提案がなされている。１つのそうした提案として、ここで参照によって全文を引用される米国特許第６，８６２，４９９号では、ユーザが貨物を指定すると、制御装置が指定された貨物に応じてメモリから環境制御パラメータを読み出し、制御装置を用いて、搬送ユニット内の空間を特定の貨物のパラメータに合致するように調整することができる。
【０００４】
別の提案は、ここで参照によって全文を引用される米国特許出願公開（ＰＡＰ）第２００３／０２２７４３９号に開示され、局所的環境における自動制御システムのためのシステムが提供され、ここでは、システム処理が、既知の人々のグループから、その環境の中にいる現在の人物を特定するために画像を取得し、特定された人物が存在している局所的環境に関する要素を提供するために、特定された人物の好みに応じて制御信号を発生する。
【０００５】
同様なシステムが、ここで参照によって全文を引用される米国特許出願公開第２００５／０００９４９８号に開示され、ここでは、現在のユーザの認証時に、事前に格納されたユーザ固有の制御設定に従って、装置が制御される。更なるシステムが、ここで参照によって全文を引用される米国特許出願公開第２００４／０１９３５４８号に開示され、ここでは、人々は、プログラム可能なサーモスタットの相互的ユーザインターフェースのアクセスに使用するための個人識別番号（ＰＩＮ）が与えられる。これにより、各ユーザの空調使用を監視できる。
【発明の開示】
【発明が解決しようとする課題】
【０００６】
また、ここで参照によって全文を引用される日本国特開平０７−２４３６８６号は、室内に入る人物が所持するＩＤカードを読み込み、それにより、照明及び空調などの環境パラメータを調整する環境制御システムを開示している。事前に格納された好みに従って、環境を制御するための様々なシステムが利用可能であるけれども、改良されたシステムに対する要望が存在している。
【課題を解決するための手段】
【０００７】
従って、改良された環境制御装置は、現実の又は仮想的な人物である、環境中の人物の複数のアイデンティティ又は役割から、マスターを検出及び選択するように構成された検出装置を具備している。プロセッサは、環境に関するマスターの好みに従って、環境のパラメータを制御するように構成されている。例示的には、パラメータは、温度、有線又は無線の電話，ファクシミリ，及び電子メールなどの個人的な及び／又はビジネスの遠隔通信を含む遠隔通信、照明、オーディオ及びビデオ源、セキュリティー、及び／又は、ウインドウシェードの開閉などの環境の自然光の状態が含まれる。
【０００８】
プロセッサは、さらにスケジュールに従ってパラメータを制御するように構成され、スケジュールには、例えば、時刻、日付、及び、非常事態，社会的集会及び／又はビジネス集会等の環境中で発生する特別なイベントが含まれ、ここで、デフォルトの集会を、社会的集会としてもよい。しかしながら、マスター又は任意の認証されたユーザは、例えばシステムが選択した集会を社会的集会からビジネス集会に変更するように、任意のパラメータを変化させるようにシステムをオーバーライドし又は情報を与えてもよい。また、プロセッサは、マスターが２つのアイデンティティを有する場合、社会的集会の検出時に、及びビジネス電話が遮断され又は留守番電話へ向けられたときに、例えば、一方のマスターを除去して（例えば、“ミスタービジネス”又は“従業員ジョン”を除去して）、マスターの変更を実現するように構成されている。
【０００９】
環境制御装置は、人物が複数のアイデンティティに関連することを許容し、各アイデンティティは他から区別され、且つ、特定の環境パラメータと関連し、この特定の環境パラメータに従って、選択されたマスター及び／又はスケジュールに関連したパラメータに基づいて環境が調整される。
【００１０】
本発明がさらに適用される領域は、以下の詳細な説明から明らかになるだろう。詳細な説明及び特定の例示は、本発明の例示的な実施形態を示しているけれども、単に例示の目的が意図され、本発明の範囲を制限することを意図していないことを理解されたい。
【００１１】
本発明の装置及び方法のこれらの及びその他の特徴、観点、及び利点については、以下の説明、特許請求の範囲、及び添付図面からより良く理解されるだろう。
【発明を実施するための最良の形態】
【００１２】
ある種の例示的な実施形態についての以下の説明は、単に例示的な性質であり、本発明の範囲、用途、又は使用を制限することを意図していない。
【００１３】
図１を参照すると、環境制御システム１００は、プロセッサ１１０を具備し、このプロセッサは、検出装置１２０、アクチュータ１３０、メモリ１４０及び表示装置１５０と機能的に接続されている。メモリ１４０は、アプリケーションデータを格納するための任意のタイプの装置である。アプリケーションデータは、本発明のシステムに従って複数の動作段階を実行するようにプロセッサ１１０を構成するために、プロセッサ１１０によって受信される。
【００１４】
これら動作段階は、表示装置１５０を制御して、ユーザインターフェースを表示する工程を含み、ユーザインターフェースは、選択，（プロセッサ１１０を介した）プログラミング／再プログラミング，及びメモリ１４０への格納のための視覚パラメータ、並びに、住宅，商業，小売りビルディング，部屋，自動車の車室等である環境を制御するためのパラメータを表示する。簡潔及び簡単にするために、環境制御システム１００は、家の文脈において説明されるが、説明は、パラメータを環境制御システム１００によって制御可能な任意の設定又は環境に等しく適用可能であることに理解されたい。
【００１５】
表示装置１５０は、任意の表示装置であり、スタンドアロンであるか、又は更なるシステムの一部分、例えば、パーソナルコンピュータ又はラップトップ，ＰＤＡ，モニタ，テレビなどの一部分であり、これらは、例えば、液晶表示装置（ＬＣＤ）又はブラウン管（ＣＲＴ）を含む。プロセッサ１１０及びメモリ１４０は、任意のタイプのプロセッサ／制御装置及びメモリであって、例えば参照によって引用した米国特許出願公開第２００３／００５７８８７号に開示されている。プロセッサ１１０は、例えば、タッチスクリーンである表示装置１５０に表示されたユーザインターフェースからの入力信号に応答して、出力又は制御信号を提供することが可能であり、これはメモリ１４０に格納された命令を実行し、メモリは、任意のタイプのメモリ，ＲＡＭ，ＲＯＭ，リムーバブルメモリ，ＣＤ−ＲＯＭなどであり、これらは、米国特許出願公開第２００３／００５７８８７号に開示されている。
【００１６】
ユーザインターフェース装置（すなわち接触感応表示装置）１５０と、プロセッサ１１０と、メモリ１４０と、アクチュータ１３０とは、環境制御システム１００の一部として示されているけれども、独立した別々のユニット又は他のユニットとの組み合わせでもよいことを理解されたい。例えば、プロセッサ１１０とメモリ１４０とは、パーソナルコンピュータの一部であり、ユーザインターフェース装置又は表示装置１５０は、別々の又はこれらに統合されたユニットであってもよい。ユーザインターフェース装置自体は、ユーザ入力を受け入れ，データを格納し，制御信号を提供することが可能なパーソナルコンピュータ又は任意の装置、例えば、リモコン、ＰＤＡ、携帯電話等で実現される。
【００１７】
アクチュータ１３０は、様々な装置及びシステムを動作させるように構成されて、様々な変更可能なパラメータ、例えば、後述する環境パラメータを変更し、これらのパラメータには、温度；有線又は無線の電話，ファクシミリ及び電子メール等の個人的な及び／又はビジネスの遠隔通信を含む遠隔通信のアクセス性；照明；例えば、好みの音楽を提供するオーディオ及びビデオ源；セキュリティーシステムのセキュリティーパラメータ；環境／部屋のウインドウシェードの制御による、照明強度，照明色等の自然光の照射が含まれる。
【００１８】
検出装置１２０は、単独で又はプロセッサ１１０と組み合わせられて、環境中の人物１６５の複数のアイデンティティからマスターアイデンティティ１５５を検出及び選択するように構成され、図１には、そうした３つのアイデンティティ１７０，１７５，１８０が示されているが、任意の数のアイデンティティを含んでもよいことを理解されたい。
【００１９】
そうしたユーザ検出は、任意の適当な装置でよく、日本国特開平０７−２４３６８６号に開示されているＩＤカード又はユーザが身に付けているＲＦＩＤ等や、例えば米国特許出願公開第２００３／０２２７４３９号に開示されている画像分析である。後述するように、人物１６５は、現実の又は仮想的な人物である。マスターアイデンティティの選択は、スケジュールに従うものでもよく、又は、単にユーザ／人物１６５によって選択されてもよく、これは検出装置１２０及び／又はプロセッサ１１０で選択された任意のアイデンティティのオーバーライドを含んでもよい。
【００２０】
プロセッサ１１０は、環境に関する選択されたマスター１５５の好みに従って、環境の少なくとも１つのパラメータを制御するように構成され、そうした好み及びその他複数のアイデンティティ１７０，１７５，１８０のそれぞれに関連した好みは、メモリ１４０に格納されている。好みに基づいた環境制御は、例えば米国特許出願公開第２００３／０２２７４３９号に開示されている照明及び温度の制御と類似している。例示的には、パラメータは、温度；有線又は無線の電話，ファクシミリ及び電子メール等の個人的な及び／又はビジネスの遠隔通信を含む遠隔通信；照明；オーディオ及びビデオ源；セキュリティー；及び／又は、ウインドウシェード等の自然光の環境状態が含まれる。
【００２１】
前述したように、プロセッサ１１０は、さらに、スケジュールに従ってパラメータを制御するように構成されてもよく、スケジュールには、例えば、時刻，日付，及び，例えば、家又は部屋の環境中で生じる特別なイベントが含まれる。特別なイベントは、非常事態であって、火災の場合にプロセッサ１１０の制御の下で消火スプリンクラーが作動し、消防署が呼び出される。また、追加的に、特別なイベントは、社会的集会及び／又はビジネス集会であってもよく、例えば、デフォルトの集会は社会的集会である。しかしながら、マスター１５５及び／又は人物１６５（認証された他の人物を含む）は、任意のパラメータ及び選択されたアイデンティティ又はマスターを変更するようにシステムをオーバーライドし又は情報を与えてもよく、例えば、システムが選択／指定した集会を、社会的集会からビジネス集会に変更する。また、プロセッサ１１０は、マスターが２つのアイデンティティを有する場合、一方のマスターを除去して（例えば、社会的集会及びビジネス電話が遮断され又は留守番電話へ向けられたことの検出時に、“ミスタービジネス”又は“従業員ジョン”を除去して）、マスターの変更を実現するように構成されている。
【００２２】
もちろん、それぞれのアイデンティティ及び関連する好みは、プロセッサ１１０によって識別可能であり、固有の識別子と共にメモリ１４０に格納される。環境制御装置１００は、任意の人物１６５に複数のアイデンティティを関連付けることを許容し、それぞれのアイデンティティは別のアイデンティティから区別され、特定の環境パラメータと関連し、特定の環境パラメータに従って、環境は、選択されたマスター及び／又はスケジュールに関連したパラメータに基づいて調整される。
【００２３】
アイデンティティは、環境により示されるべきパラメータを特定することで、制御システムを介して作成してもよい。そして、アイデンティティは１人又は複数の現実の又は仮想的な人物と固有の識別子を介して関連付けられ、メモリ１４０に格納され、これへのアクセスは、制限され、又は、例えば、署名の波形，ＲＦＩＤ，個人識別番号（ｐｉｎ）又はパスワードによる承認の後に許容されてもよい。様々なアイデンティティは、検出されたイベント又は環境中で特定された人物に基づいてプロセッサ１１０によって選択され、又は、カレンダー又はスケジュール（例えば、時刻スケジュール，日付スケジュール、又は特別イベントスケジュール）に関連させてもよい。
【００２４】
例示的には、人物１６５が部屋又は任意の環境に入ると、人物１６５は検出装置１２０によって検出され、その人物１６５のアイデンティティ１７０，１７５，１８０の１つが、検出装置１２０及び／又はプロセッサ１１０によって選択される。次に、環境のパラメータは、選択されたアイデンティティ又はマスター１５５の命令及び／又は格納された好みに調整される。人物１６５がその環境から去ると、プロセッサ１１０は、パラメータを、以前の状態又はその他の任意のプログラムされた状態に調整する。変形例としては、プロセッサ１１０は、パラメータを、仮想的な人物１８５のアイデンティティに調整する。
【００２５】
以下は、使用時の環境制御システム１００を示した例である。
【００２６】
（実施例１）
人物ジョンは、自分に関連させるように、アイデンティティＡ，Ｂ，Ｃを作成した。アイデンティティＡは、仕事に関連し（例えば、“従業員ジョン”）、その環境のためのパラメータは、明るい照明，自然光の部屋への入射の許容（例えば、ブラインド開），７０゜Ｆの室温，オーディオノイズ無し，全遠隔通信の“受信／送信”位置を含む。アイデンティティＡは、月曜日から金曜日までの日付で、東部標準時（ＥＳＴ）の９:００ＡＭ〜５：００ＰＭの間の時間にスケジュールされている。
【００２７】
アイデンティティＢは、仕事の後の楽しい時間に関連し、環境のためのパラメータは、暗く調光された照明，自然光の部屋への入射の不許可（例えば、ブラインド閉），７８゜Ｆの室温，オーディオ音楽の“ジャズ”への設定，ビジネス遠隔通信の“オフ”設定，ファクシミリ遠隔通信の“オフ”設定，個人的な遠隔通信の“受信／送信”設定を含む。アイデンティティＢは、月曜日から金曜日までの日付で、５：００ＰＭから７：３０ＰＭ（ＥＳＴ）の時間にスケジュールされている。アイデンティティＣは、特別なイベントに関連し、パラメータは、中間的な照明，自然光の部屋への入射の許容，オーディオ音楽の“ソフトジャズ”への設定，７４゜Ｆの室温，ビジネス遠隔通信の“オフ”設定，ファクシミリ遠隔通信の“オフ”設定，個人的な遠隔通信の“受信／送信”設定を含む。
【００２８】
アイデンティティＣは、スケジュールには設定されないが、ジョンの望みによって生じる。変形例としては、ジョンは、時刻又は日付にかかわらず、望むときに、任意のアイデンティティを活性化させ又は非活性化させてもよい。
【００２９】
（実施例２）
家庭の環境において、メアリーは、自分のためにアイデンティティＤ及びＥを作成し、彼女の息子であるゲーリーのためにアイデンティティＦ及びＧを作成した。アイデンティティＤのパラメータは、中間的な照明，自然光の部屋への完全な入射の許容，オーディオの“ローカルニュースステーション”への設定，ビジネス通信の“緊急時のみ”への設定，個人的通信の“受信／送信”への設定，ファクシミリ通信の“オフ”設定を含む。アイデンティティＤは、月曜日から金曜日までの日付にスケジュールされる。
【００３０】
メアリーが家庭の環境を去る時、制御システムは、仮想的な人物である管理人に関連したアイデンティティＥを活性化させる。アイデンティティＥが含むパラメータは、低照明，自然光の部屋への完全な入射の許容，オーディオの“オフ”設定，すべての遠隔通信の“オフ”設定，警報システムの“完全アーミング”設定，家に人が居るのをシミュレートするために、照明及びマルチメディア装置（ＴＶ又はラジオ等）等の他の装置の任意の所望の／プログラム可能なシーケンスでの作動オンオフを含む。アイデンティティＥは、月曜日から金曜日までの日付にスケジュールされる。
【００３１】
ゲーリーが学校から帰宅すると、制御システムは、ゲーリーを検出して、アイデンティティＦを動作させる。アイデンティティＦが含むパラメータは、中間的な照明，完全な自然光，オーディオの“子供音楽”への設定又は任意のその他のアイデンティティＦに関連した音楽への設定，ビジネス通信の“オフ”設定，個人的通信の“受信／送信”への設定，ファクシミリ通信の“オフ”設定，セキュリティー警報システムの“部分的アーミング”への設定（例えば、ドア及び窓のセンサを含む周辺センサだけがアーミングされ、少なくともゲーリーが居ると予想される部屋のモーションセンサが非活性化される）を含む。アイデンティティＦは、月曜日から金曜日までの日付で、例えば、ゲーリーがくつろいで軽食を食べる３:００ＰＭから３：３０ＰＭの時刻にスケジュールされる。
【００３２】
３：３０ＰＭに、ゲーリーと時刻３：３０ＰＭを検出した制御システムは、ウィークデーすなわち月曜日から金曜日までと同様に、アイデンティティＧを活性化させる。アイデンティティＧは、学習に伝導するパラメータを含み、これは、例えば、明るい照明，自然光無し，オーディオ音楽無し，個人的通信の“受信／送信”への設定，セキュリティー警報システムの“部分的アーミング”への設定を含む。
【００３３】
メアリーが家の環境に戻ると、制御システムは、彼女を検出し、彼女のアイデンティティＢが、ゲーリーのアイデンティティＧをオーバーライドし、アイデンティティＢの下でのパラメータを作成し、これは、明るい照明，自然光無し，オーディオの“オフ”設定，ビジネス通信の“オフ”設定，ファクシミリ通信の“オフ”設定，個人的通信の“受信／送信”への設定，警報システムの“部分的アーミング”への設定を含む。
【００３４】
もちろん、複数の人物が単一のアイデンティティに属することも可能であり、アイデンティティＨは、メアリーとゲーリーの両方に属し、独自の好みは、メアリー及び／又はゲーリーのような人物に設定されたアイデンティティＨに関連付けられる。変形例としては、好みは、メアリーとゲーリーの両人の組み合わせの好みとしてもよく、例えば、これは、平均，重み付け平均，又は，他方の人物の対立する好みで優勢又は支配する一方の人の好みである。同様に、ジョンとメアリーの両人を、例えば、任意の重み付け，平均化又は優勢のスキームにより、管理人のアイデンティティＩと関連付けることもでき、これは仮想的な管理人と共に共有される。
【００３５】
優先度は、米国特許出願公開第２００３／０２２７４３９号に開示されるように割り当ててもよい。さらに、対立する要求条件は、前述したように、アイデンティティに重みを割り当てるなど、他の方法で解決することもできる。例えば、望ましい温度を部屋について計算しなければならない場合、管理人は、部屋に居るアイデンティティを捜して、それらの所望の温度の重み付け平均を計算する。同一の人物が異なる好みを有することもでき、例えば、ジョンが“従業員ジョン”であるときには、好みの温度は７０゜Ｆであるけれども、ジョンが異なるアイデンティティ又は役割を演じるときには異なる温度が好まれることに留意されたい。
【００３６】
加えて、例えば、仮想的な管理人及び／又は仮想的なエンターテーナーが部屋に居るならば、温度の好みは７４゜Ｆに設定されるように、規則ベースのアプローチを取ることもできる。また、対立は、所定のレベルの温度に設定するかどうかを管理人に尋ねるような相互作用によって解決してもよい。現実の又は仮想的な管理人は、例えば、この要求を考慮して、適当なフィードバックを行うことができ、説明と共に又は説明無しに、この要求を受け入れ又は拒絶する。もちろん、仮想的な管理人の役割／アイデンティティと決定は、適切な承認及び認証と共に又はこれら無しに、現実の人物によってオーバーライドすることができる。
【００３７】
仮想的な人物は、いつでも、単一の又は複数の役割（例えば、仮想的な管理人及び／又は仮想的なエンターテーナー）を演じてもよい。仮想的なエンターテーナーとその他の人々との間の相互作用は、例えば、パーティー中に、現実の人物が仮想的なエンターテーナーに特定の歌を演奏することを頼むことを含み、ここでは、例示的に仮想的なエンターテーナーは、リクエストされた歌をいつ演奏するのかを決定する。もちろん、仮想的なエンターテーナーは、特定の又はすべての現実の人物の命令に従うようにプログラムしてもよい。仮想的なエンターテーナーは、パーティーが始まるとき、“従業員ジョン”であるアイデンティティＡを非活性化させるなど、ある種のアイデンティティを追い払い、非活性化すべきであることを言及してもよい。複数の人々（現実の及び／又は仮想的な）が、単一の役割を演じてもよい。例示的には、例えば、家のブラインドと室内の温度を制御するアイデンティティＩ（すなわち、“管理人”）は、ジョン及び／又はメアリーと共に、仮想的な管理人と関連付けられる。
【００３８】
最後に、以上の説明は、本発明を単に例示することを意図しており、特許請求の範囲をいずれかの特定の実施形態又は実施形態のグループの制限するように解釈すべきではない。従って、本発明は、その特定の例示的な実施形態を参照して、特に詳細に説明されたけれども、特許請求の範囲に定められた発明の精神及び範囲から逸脱せずに、多数の改変及び変更を施し得ることに理解されたい。従って、明細書及び図面は例示的にみなされ、特許請求の範囲の範囲を制限する意図は無い。
【００３９】
特許請求の範囲の解釈においては、以下のことを理解すべきである。
ａ）  “備える”という単語は、所定の請求項に列挙された以外の他の要素又は段階が存在することを排斥しない。
ｂ）  要素に先行する不定冠詞“ａ”又は“ａｎ”は、このような要素が複数存在することを排斥しない。
ｃ）  請求項における参照符号は、請求項の範囲を制限しない。
ｄ）  いくつかの“手段”は、同一の項目又はハードウェア又は構造に実現されたソフトウェア又は機能によって表される。
ｅ）  それぞれの開示された要素は、ハードウェア部分（例えば、個別部品回路及び集積回路を含む）と、ソフトウェア部分（例えば、コンピュータプログラム）と、これらの組み合わせから構成される。
【図面の簡単な説明】
【００４０】
【図１】図１は、本発明の一実施形態による環境制御システムを示している。
【符号の説明】
【００４１】
１００  環境制御システム
１１０  プロセッサ
１２０  検出装置
１３０  アクチュータ
１４０  メモリ
１５０  表示装置
１５５  マスター
１６５  人物
１７０，１７５，１８０  アイデンティティ
１８５  仮想的な人物
【図１】
2009521042.tif 000003
【国際調査報告】
2009521042.tif 000004
2009521042.tif 000005